(57)【要約】【課題】収集した医療情報の二次加工を容易にさせ、また、各医療用装置の操作性を向上させる。【解決手段】システムコントローラ９を、一つ以上の医療用装置及び一つ以上の読取端末装置との間で通信を行う通信Ｉ／Ｆ４２と、この通信Ｉ／Ｆ４２により得られた、前記医療用装置又は前記読取端末装置からの医療情報から項目データを抽出し、該抽出した項目データを、所定のファイルのワークシート上の予め定められた対応する列のセルに入力するＣＰＵ４１等を有するように構成する。【選択図】図３
2006053661.tif 000002
【特許請求の範囲】
【請求項１】
一つ以上の医療用装置及び一つ以上の読取端末装置との間で通信を行う通信手段と、
前記通信手段により得られた、前記医療用装置又は前記読取端末装置からの医療情報から項目データを抽出する抽出手段と、
前記抽出手段により抽出された項目データを、所定のファイルのワークシート上の予め定められた対応する列のセルに入力する入力手段と、
を有することを特徴とする医療情報収集装置。
【請求項２】
一つ以上の医療用装置及び一つ以上の読取端末装置との間で通信を行い、
前記通信により得られた、前記医療用装置又は前記読取端末装置からの医療情報から項目データを抽出し、
前記抽出した項目データを、所定のファイルのワークシート上の予め定められた対応する列のセルに入力する、
ことを特徴とする医療情報収集方法。
【請求項３】
コンピュータに、
一つ以上の医療用装置及び一つ以上の読取端末装置との間で通信を行う通信機能と、
前記通信機能により得られた、前記医療用装置又は前記読取端末装置からの医療情報から項目データを抽出する抽出機能と、
前記抽出機能により抽出された項目データを、所定のファイルのワークシート上の予め定められた対応する列のセルに入力する入力機能と、
を実現させるための医療情報収集プログラム。
【発明の詳細な説明】
【技術分野】
【０００１】
本発明は、医療情報を収集する装置、方法、及びプログラムに関する。
【背景技術】
【０００２】
従来、複数の医療用装置を集中制御するコントローラを用いて、装置の制御や使用来歴等に関する情報を医療情報として保存するようにしたシステムがある。例えば特許文献１には、複数の内視鏡周辺装置（ＴＶカメラ，光源，気腹装置，高周波焼灼装置，及びＶＴＲ等）を集中制御するシステムコントローラを用いて、操作来歴等に関する情報を医療情報として保存するようにした内視鏡統合システムが開示されている。
【０００３】
このようなシステムでは、一般的に、コントローラは、医療用装置や医療用器具等の個体情報を、例えば装置間の通信により、或いは赤外線や無線等を利用した読取端末装置により、医療情報として収集することが可能になっている。また、各医療用装置の操作は、タッチパネルのようなＧＵＩ機能を有した操作パネルを介して集中して行うことが可能になっている。
【特許文献１】特開２００２−２３３５３５号公報
【発明の開示】
【発明が解決しようとする課題】
【０００４】
ところで、このようなシステムにおいては、医療用装置や読取端末装置によって、使用される通信フォーマットが異なっており、その通信フォーマット毎に、収集した医療情報のデータフォーマットが異なることとなる。従って、このままでは、収集した医療情報の二次加工を容易に行うことができない。
【０００５】
また、各医療用装置の操作を行う際に利用される操作パネルでは、一画面に表示可能な情報量に限度があるので、画面が階層構造を有することとなり、例えば、所望の装置の操作が最下階層の画面からしか行えない場合等には、使い勝手が悪かった。
【０００６】
本発明は、上記実情に鑑み、収集した医療情報の二次加工を容易にさせること、及び、各医療用装置の操作性を向上させることができる、医療情報収集装置、医療情報収集方法、及び医療情報収集プログラムを提供することを目的とする。
【課題を解決するための手段】
【０００７】
上記目的を達成するため。本発明の一態様に係る医療情報収集装置は、一つ以上の医療用装置及び一つ以上の読取端末装置との間で通信を行う通信手段と、前記通信手段により得られた、前記医療用装置又は前記読取端末装置からの医療情報から項目データを抽出する抽出手段と、前記抽出手段により抽出された項目データを、所定のファイルのワークシート上の予め定められた対応する列のセルに入力する入力手段と、を有する構成である。
【０００８】
本構成によれば、通信手段により、一つ以上の医療用装置及び一つ以上の読取端末装置との間で通信が行われ、抽出手段により、通信手段により得られた、医療用装置又は読取端末装置からの医療情報から項目データが抽出され、入力手段により、抽出手段により抽出された項目データが、所定のファイルのワークシート上の予め定められた対応する列のセルに入力される。
【０００９】
本発明は、この他、医療情報収集方法及び医療情報収集プログラムとして構成することも可能である。
【発明の効果】
【００１０】
本発明によれば、収集した医療情報の二次加工を容易にさせることができ、また、各医療用装置の操作性を向上させることもできる。
【発明を実施するための最良の形態】
【００１１】
以下、本発明の一実施例を図面を参照しながら説明する。
【実施例１】
【００１２】
図１は、本発明の実施例１に係る医療情報収集装置を適用した内視鏡外科手術システムの全体構成を示す図である。
同図に示したように、内視鏡外科手術システム１は、不図示の手術台の両側に第１のカート２及び第２のカート３が配置され、これらの両カート２、３には観察、検査、処置、記録などを行う複数の内視鏡周辺機器が搭載されている。
【００１３】
第１のカート２には、第１のモニタ４、第１の内視鏡画像処理装置５、第１の光源装置６、気腹装置７、電気メス装置８、第１のシステムコントローラ９、タッチパネル１０等が搭載され、それぞれの機器は、通信ケーブルを介して第１のシステムコントローラ９と接続され、双方向通信を行えるようになっている。
【００１４】
第１の光源装置６は、照明光を伝送するライトガイドケーブルを介して硬性内視鏡１２に接続され、第１の光源装置６の照明光を硬性内視鏡１２のライトガイドに供給し、この硬性内視鏡１２の挿入部が刺入された患者の腹部内の患部等を照明する。この硬性内視鏡１２には撮像素子を備えたカメラヘッドが装着され、硬性内視鏡１２の観察光学系による患部等の光学像をカメラヘッド内の撮像素子で撮像し、カメラケーブルを介して第１の内視鏡画像処理装置５に伝送し、第１の内視鏡画像処理装置５内の信号処理回路で信号処理して、映像信号を生成するようにしている。
【００１５】
気腹装置７には気腹チューブ１３が接続され、この気腹装置７が気腹チューブ１３を介して患者の腹部内にＣＯ2ガスを供給するようになっている。
電気メス装置８には電気メス用ハンドピース１４と対極板１５とが接続され、この電気メス装置８が高周波電流を電気メス用ハンドピース１４、患者の生体組織、対極板１５に流すことにより、生体組織の切開や凝固を行うことができるようになっている。
【００１６】
第１のシステムコントローラ９は、当該コントローラ９に接続される装置の集中制御を行うものであり、また、当該コントローラ９に接続される装置から医療情報（装置の機器情報など）を収集する医療情報収集装置でもある。尚、この第１のシステムコントローラ９には、上記装置のほか、図示しない（詳しくは図２で後述）光学式リーダー，無線式リーダー／ライター，モバイル端末用クレードル等も接続されている。また、第１のシステムコントコーラ９には、図示しない病院内に設けられた院内通信ネットワーク（以下単に「院内ネット」という）とも、図示しないネットワークケーブル（例えばＬＡＮケーブル）で接続され、必要に応じて院内ネット上の特定の装置とデータの送受を行うことができるようになっている。
【００１７】
一方、第２のカート３には、第２のモニタ１６、第２の内視鏡画像処理装置１７、第２の光源装置１８、超音波画像処理装置１９、超音波メス装置２０、第２のシステムコントローラ２１等が搭載され、それぞれの機器は、通信ケーブルを介して第２のシステムコントローラ２１と接続され、双方向通信を行えるようになっている。
【００１８】
第２の光源装置１８は、照明光を伝送するライトガイドケーブルを介して軟性内視鏡２２に接続され、第２の光源装置１８の照明光を軟性内視鏡２２のライトガイドに供給し、この軟性内視鏡２２の挿入部が刺入された患者の腹部内の患部等を照明する。この軟性内視鏡２２には撮像素子を備えたカメラヘッドが装着され、軟性内視鏡２２の観察光学系による患部等の光学像をカメラヘッド内の撮像素子で撮像し、カメラケーブルを介して第２の内視鏡画像処理装置１７に伝送し、第２の内視鏡画像処理装置１７内の信号処理回路で信号処理して、映像信号を生成するようにしている。
【００１９】
超音波処理装置１９には超音波内視鏡２３が接続され、超音波内視鏡２３から出力される超音波パルスにより生体組織から反射されたエコー信号を受信して得た情報を、超音波処理装置１９内の信号処理回路で信号処理して、映像信号を生成するようにしている。
【００２０】
超音波メス装置２０には超音波メス用ハンドピース２４が接続され、超音波メス装置２０により超音波メス用ハンドピース２４が超音波振動を発生させることにより、患者の生体組織の破砕・切断を行うことができるようになっている。
【００２１】
第２のシステムコントローラ２１は、第１のシステムコントローラ９と同様の構成を有し、同コントローラ９と同様に、当該コントローラ２１に接続される装置の集中制御を行うものであり、また、当該コントローラ２１に接続される装置から医療情報を収集する医療情報収集装置でもある。尚、この第２のシステムコントローラ２１には、上記装置のほか、第１のシステムコントローラ９と同様に、必要に応じて光学式リーダー，無線式リーダー／ライター，モバイル端末用クレードル等も接続することができるようになっている。また、図示しない院内ネットとも、必要に応じてネットワークケーブルにより接続して、院内ネット上の特定の装置とデータの送受を行うことができるようになっている。
【００２２】
また、第１のシステムコントローラ９と第２のシステムコントローラ２１は、例えばシリアル通信を行うシステムケーブル２５で接続されており、両コントローラ間においても、必要に応じてデータの送受を行うことができるようになっている。
【００２３】
図２は、第１のシステムコントローラ９に接続されている、図１には図示しなかった構成を示す図である。
図２に示したように、第１のシステムコントローラ９には、図１に示したほか、個体情報を表す光学式タグを読み取る光学式リーダー２６と、無線式タグ（例えばＲＦ−ＩＤタグ等）に対し情報の読み出し／書込みを行う無線式リーダー／ライター２７と、モバイル端末装置２８が接続され該モバイル端末装置２８との間でデータの送受を行うためのモバイル端末用クレードル２９とが接続されている。尚、モバイル端末装置２８も、光学式リーダー２６のように光学式タグを読み取る機能、或いは無線式リーダー／ライター２７のように無線式タグに対しデータの読み出し／書込みを行う機能を有している。
【００２４】
また、第１のシステムコントローラ９は、着脱式メモリ３０の記録媒体装置も内蔵しており、装着された着脱式メモリ３０に対しデータの読み出し／書き込みを行うことができるようになっている。
【００２５】
更に、第１のシステムコントローラ９には、ネットワークケーブル（例えばＬＡＮケーブル）３１を介して、院内ネット上の二次加工用端末装置３２に接続され、互いにデータの送受が可能になっている。この二次加工用端末装置３２では、必要に応じて第１のシステムコントローラ９が収集した情報の二次加工を行うことができるようになっている。尚、二次加工用端末装置３２も、着脱式メモリ３０の記録媒体装置を内蔵しており、この着脱メモリ３０を介して、第１のシステムコントローラ９との間でデータの受渡しを行うこともできるようになっている。
【００２６】
図３は、第１のシステムコントローラ９のシステム構成を示す図である。
同図に示したように、第１のシステムコントローラ９は、主要な構成として、当該コントローラ９の全体動作を制御するための制御プログラム４０ａが記憶されたＲＯＭ（例えばフラッシュＲＯＭ）４０と、この制御プログラム４０ａを読み出し実行することにより、当該コントローラ９の全体動作を制御するＣＰＵ４１と、当該コントローラ９に接続されている装置との間で通信を行うための通信Ｉ／Ｆ４２と、ＣＰＵ４１のワークエリアとして或いは通信Ｉ／Ｆ４２を介して得られたデータの一時格納用等として使用されるＲＡＭ４３と、装着された着脱メモリ３０に対してデータの読み出し／書込みを行うためのメモリＩ／Ｆ４４と、院内ネット上の装置（例えば前述の二次加工用端末装置３２など）との間でデータの送受を行うためのネットワークＩ／Ｆ４５等を有している。
【００２７】
尚、第２のシステムコントローラ２１も、第１のシステムコントローラ９と同様のシステム構成を有している。
図４及び図５は、光学式リーダー２６によって読み出される光学式タグと無線式リーダー／ライター２７によって読み出し／書込みが行われる無線式タグの一例を示す図である。
【００２８】
図４に示した例では、電気メス用ハンドピース１４のセットが収納された袋５０ａに、当該袋５０ａの収納物に関する情報を表す光学式タグ５１ａが印字されたシールが貼付されている。また、この電気メス用ハンドピース１４のセットにあるコネクター部分には、当該電気メス用ハンドピース１４に関する情報が記憶された無線式タグ５２ａが埋め込まれている。
【００２９】
また、超音波メス用ハンドピース２４のセットが収納された袋５０ｂには、当該袋５０ｂの収納物に関する情報を表す光学式タグ５１ｂが印字されたシールが貼付されている。また、この超音波メス用ハンドピース２４は、超音波シザース５３，超音波プローブ５４，超音波振動子５５から構成されており、超音波シザース５３には当該超音波シザース５３に関する情報が記憶された無線式タグ５２ｂが埋め込まれており、超音波プローブ５４には当該超音波プローブ５４に関する情報を表す光学式タグ５６が印字されており、超音波振動子５５には当該超音波振動子５５に関する情報が記憶された無線式タグ５２ｃが埋め込まれている。
【００３０】
これにより、これらの光学式タグ５１，５６や無線式タグ５２を、上記の光学式リーダー２６或いは無線式リーダー／ライター２７、又は、光学式リーダーの機能或いは無線式リーダー／ライターの機能を有したモバイル端末装置２８により読み取ることにより、関連する情報を読み出すことが可能になっている。
【００３１】
図５に示した例では、第１のシステムコントローラ９に接続されている装置に対する操作を容易にするために設けられたブック形式の読取シート５７に、操作先となる装置や操作項目を表す光学式タグ５９が印字されており、また、操作上設定に必要な数値が記憶された無線式タグ５８ａと、予め一つ又は複数の装置への操作が一括して記憶された無線式タグ５８ｂが埋め込まれている。
【００３２】
同図の例では、光学式タグ５９が表す操作先となる装置として、電気メス，超音波メス，気腹装置が示されている。また、無線式タグ５８ａに記憶されている、操作上設定に必要な数値として、１，２，３，４，５，６，７，８，９，０，００，０００が示されている。また、無線式タグ５８ｂに記憶されている一つ又は複数の装置への操作として、Ｆ１，Ｆ２，Ｆ３，Ｆ４，Ｆ５，Ｆ６が示されている。
【００３３】
これにより、上記の光学式リーダー２６或いは無線式リーダー／ライター２７、又はモバイル端末装置２８により、操作する所望の装置と操作項目とを表す光学式タグ５９をそれぞれ読み取り、次に、操作上設定に必要な数値が記憶された無線式タグ５８ａを、設定する所望の値に応じてそれぞれ読み取ることにより、所望の装置に所望の操作を行うことが可能になっている。或いは、一つ又は複数の装置への操作が一括して記憶された無線式タグ５８ｂを読み取ることにより、所望の一つ又は複数の装置に一括して所望の操作を行うことも可能になっている。
【００３４】
また、これとは逆に、第１のシステムコントローラ９に接続されている一つ又は複数の装置の現在の設定条件を、無線式リーダー／ライター２７又はモバイル端末装置２８により、特定の無線式タグ５８ｂに書き込むようにすることも可能である。これにより、その一つ又は複数の装置を再び同一の設定条件にしたい場合には、無線式リーダー／ライター２７又はモバイル端末装置２８により、その特定の無線式タグ５８ｂを読み取ることにより、それが可能となる。
【００３５】
このように、読取シート５７を利用することにより、各装置への操作がより容易になり、操作性の向上が図られている。尚、読取シート５７は、例えば手術や検査毎に設けられるものであっても良い。
【００３６】
ところで、第１のシステムコントローラ９の通信Ｉ／Ｆ４２に接続される装置においては、光学式リーダー２６と無線式リーダー／ライター２７とそれ以外の装置との間で通信フォーマットが異なり、それにより当該コントローラ９によって取得されるデータのフォーマットも異なる。従って、そのままではデータの二次加工を容易に行うことがではない。そこで、第１のシステムコントローラ９では、データの二次加工を容易にするため、取得したデータ中の各項目データを抽出し、各項目データを所定のファイルのワークシート（データシート）上の予め定められた対応するセルに各々入力することにより、取得したデータを共通の一定フォーマットのデータに変換するようにしている。尚、このワークシートを有するファイルは、データを初めて入力する際にＣＰＵ４１により作成されるもの、或いは、予めＲＯＭ４０に記憶されているものであっても良い。
【００３７】
図６は、第１のシステムコントローラ９に接続されている装置から取得したデータのデータフォーマットの一例を示す図である。
同図において、データ６１は電気メス装置８から取得したデータを、データ６２は無線式リーダー／ライター２７から取得したデータ（無線式リーダー／ライター２７により読み出されたデータ）を、データ６３は光学式リーダー２６から取得したデータ（光学式リーダー２６により読み出されたデータ）を示している。
【００３８】
電気メス装置８から取得したデータ６１のデータフォーマットは、順に、時間６４、制御内容６５、機器名６６、製造年月日６７、シリアルナンバー６８の各項目データからなる。無線式リーダー／ライター２７から取得したデータ６２のデータフォーマットは、順に、メーカーコード６９、再利用可否７０、機器名６６、製造年月日６７、シリアルナンバー６８、読取機器７１、その他備考７２の各項目データからなる。光学式リーダー２６から取得したデータ６３のデータフォーマットは、順に、シリアルナンバー６８、製造年月日６７、メーカーコード６９、読取機器７１の各項目データからなる。
【００３９】
このように、電気メス装置８、無線式リーダー／ライター２７、及び光学式リーダー２６では、互いに通信フォーマットが異なるために、各々から取得されたデータのデータフォーマットも異なっている。
【００４０】
図７は、各項目データが入力されたワークシートの一例を示す図である。
同図において、ワークシート上の横一列は、ある装置から取得されたデータを表している。また、ワークシート上の各列７３（７３ａ、７３ｂ、７３ｃ、７３ｄ、７３ｅ、７３ｆ、７３ｇ、７３ｈ、７３ｉ）は、図６で説明したメーカーコード６９，時間６４，制御内容６５，再利用可否７０，機器名６６，製造年月日６７，シリアルナンバー６８，読取機器７１，その他備考７２の各項目データが入力されるセルの列を表している。尚、このワークシート上の列に割り当てられる項目データは、第１のシステムコントローラ９に接続される装置の通信フォーマットを考慮して予め定められている。
【００４１】
例えば、電気メス装置８からデータ６１が取得された場合、そのデータ６１中の、時間６４、制御内容６５、機器名６６、製造年月日６７、シリアルナンバー６８の各項目データは、ワークシート上の対応する列７３ｂ、７３ｃ、７３ｅ、７３ｆ、７３ｇのセルに各々入力される。尚、ワークシート上において、対応する項目データがない場合には、その列のセルは空欄となる。
【００４２】
このように、取得したデータ中の各項目データをワークシート上の対応するセルに各々入力することで、取得したデータを共通の一定のデータフォーマット、すなわち、ワークシート上の一ラインで表される、メーカーコード６９，時間６４，制御内容６５，再利用可否７０，機器名６６，製造年月日６７，シリアルナンバー６８，読取機器７１，その他備考７２の各項目データからなるデータフォーマット（但し、対応する項目データが無い場合にはその項目データは０）に変換することができ、後に、データの二次加工を容易にすることができる。
【００４３】
このような二次加工を容易にするためのデータフォーマットの変換処理を、図８、図９、及び図１０を用いて、より詳細に説明する。
図８及び図９は、そのデータフォーマットの変換処理の一例を示すフローチャートである。図１０は、本処理で使用される変換用テーブルの一例を示す図である。
【００４４】
図８において、第１のシステムコントローラ９は、通信Ｉ／Ｆ４２に接続されている装置からデータを取得すると、まず、その取得データが更新データであるか否かを判定する（ステップ（以下単に「Ｓ」という）１）。この判定では、その取得データと同一種類のデータが未だ取得されていない場合、或いは、その取得データと同一種類のデータであって既に取得されているデータの中の最後に取得されたデータとの間でデータの内容に変化があった場合に、その取得データが更新データであると判定される。
【００４５】
このＳ１において、その判定結果がＹｅｓの場合には、続いて、その更新データが、通信接続されている内視鏡周辺機器から得られる通信データであるか判定する。つまり光学式リーダー２６及び無線式リーダー／ライター２７以外の装置から取得したデータであるか否かを判定する（Ｓ２）。
【００４６】
このＳ２において、その判定結果がＮｏの場合には、続いて、その更新データが、光学式リーダー２６から取得したデータ（光学式リーダー２６により読み出されたデータ）であるか否かを判定する（Ｓ３）。
【００４７】
このＳ３において、その判定結果がＮｏの場合には、続いて、その更新データが、無線式リーダー／ライター２７から取得したデータ（無線式リーダー／ライター２７により読み出されたデータ）であるか否かを判定する（Ｓ４）。図示していないが、Ｓ３及びＳ４においては、接続される光学式リーダー２６や無線式リーダー／ライター２７の種類が複数ある場合に、各々の種類に対応した通信フォーマットに対応して認識する必要があることは言うまでもない。
【００４８】
上記のＳ１又はＳ４において、その判定結果がＮｏの場合には、本フローが終了する。
一方、上記のＳ２、Ｓ３、又はＳ４において、その判定結果がＹｅｓの場合には、続いて、各判定結果に応じて、対応する変換用テーブルを設定する（Ｓ５）。このＳ５では、Ｓ２の判定結果がＹｅｓとなって本ステップを開始したときには、変換用テーブルとして、光学式リーダー２６及び無線式リーダー／ライター２７以外の装置から取得したデータに対応したテーブルを設定する。或いは、Ｓ３の判定結果がＹｅｓとなって本ステップを開始したときには、変換用テーブルとして、光学式リーダー２６から取得したデータに対応したテーブルを設定する。若しくは、Ｓ４の判定結果がＹｅｓとなって本ステップを開始したときには、変換用テーブルとして、無線式リーダー／ライター２７から取得したデータに対応したテーブルを設定する。
【００４９】
ここで、このＳ５で設定される変換用テーブルの一例を、図１０を用いて更に詳細に説明する。
同図において、変換用テーブル７６は、光学式リーダー２６及び無線式リーダー／ライター２７以外の装置から取得したデータに対応したテーブルである。変換用テーブル７７は、光学式リーダー２６から取得したデータに対応したテーブルである。変換用テーブル７８は、無線式リーダー／ライター２７から取得したデータに対応したテーブルである。従って、Ｓ２がＹｅｓのときは変換用テーブル７６が、Ｓ３がＹｅｓのときは変換用テーブル７７が、Ｓ４がＹｅｓのときは変換用テーブル７８が、対応する変換用テーブルとして設定される。
【００５０】
これらの変換用テーブル７６、７７、７８において、Ｎは取得したデータ中のデータ項目の順番を表し、ｎは取得したデータ中のデータ項目の総数を表している。ＤNは取得したデータ中のデータ列を参照するための変数、具体的には取得したデータ中のデータ列上の特定のデータビット数を表している。ＣNはＤNで特定されるデータビット数のデータが入力される上記ワークシート上のセルの列７３を表している。
【００５１】
図８のＳ５において、対応する変換用テーブルが設定されると、続いて、図９のＳ６へ移行し、その更新データ中のデータ項目の総数であるｎがＮに設定される（Ｓ６）。続いて、その更新データ中のデータ列を読み出し（Ｓ７）、そのデータ列から、ＤNで特定される、そのデータ列上の特定のデータビット数のデータ（項目データ）を抽出し、該抽出したデータを、ＣNで特定される、上記ワークシート上の対応する列７３のセルに入力する（Ｓ８）。続いて、Ｎをデクリメントし（Ｓ９）、Ｎが０であるか否かを判定する（Ｓ１０）。このＳ１０において、その判定結果がＹｅｓの倍には、本フローが終了し、Ｎｏの場合には、Ｓ６へ戻り、上述の処理を繰り返す。つまり、変換用テーブル７６を例にあげて詳しく説明する。Ｎ＝３の状態であれば、フォーマットに挿入すべきセルはＣ3であるので５番目にデータを挿入する事となる。その際に挿入されるデータビット数はＤ3が該当する為、１ビットのデータをフォーマットに挿入する。この処理を繰り返す事により統一フォーマットへのデータ挿入を行う事ができるわけである。
【００５２】
以上、本実施例によれば、異なるデータフォーマットを有するデータを取得しても、それが共通の一定のデータフォーマットのデータに変換されるので、データの二次加工を容易にさせることができる。
【００５３】
また、読取シート５７を利用して各装置への操作を行うことにより、タッチパネル１０では最下階層からでないと操作できなかったことであっても、容易に操作することができ、装置の操作性をより向上させることができる。
【００５４】
以上、本発明について詳細に説明したが、本発明は上記実施形態に限定されず、本発明の要旨を逸脱しない範囲において、各種の改良及び変更を行っても良いのはもちろんである。
【図面の簡単な説明】
【００５５】
【図１】実施例１に係る医療情報収集装置を適用した内視鏡外科手術システムの全体構成を示す図である。
【図２】第１のシステムコントローラに接続されている、図１には図示しなかった構成を示す図である。
【図３】第１のシステムコントローラのシステム構成を示す図である。
【図４】光学式リーダーによって読み出される光学式タグと無線式リーダー／ライターによって読み出し／書込みが行われる無線式タグの一例を示す図である。
【図５】光学式リーダーによって読み出される光学式タグと無線式リーダー／ライターによって読み出し／書込みが行われる無線式タグの一例を示す図である。
【図６】第１のシステムコントローラに接続されている装置から取得したデータのデータフォーマットの一例を示す図である。
【図７】各項目データが入力されたワークシートの一例を示す図である。
【図８】データフォーマットの変換処理の一例を示すフローチャートである。
【図９】データフォーマットの変換処理の一例を示すフローチャートである。
【図１０】データフォーマットの変換処理で使用される変換用テーブルの一例を示す図である。
【符号の説明】
【００５６】
１      内視鏡外科手術システム
２      第１のカート
３      第２のカート
４      第１のモニタ
５      第１の内視鏡画像処理装置
６      第１の光源装置
７      気腹装置
８      電気メス装置
９      第１のシステムコントローラ
１０    タッチパネル
１２    硬性内視鏡
１３    気腹チューブ
１４    電気メス用ハンドピース
１５    対極板
１６    第２のモニタ
１７    第２の内視鏡画像処理装置
１８    第２の光源装置
１９    超音波画像処理装置
２０    超音波メス装置
２１    第２のシステムコントローラ
２２    軟性内視鏡
２３    超音波内視鏡
２４    超音波メス用ハンドピース
２５    システムケーブル
２６    光学式リーダー
２７    無線式リーダー／ライター
２８    モバイル端末装置
２９    モバイル端末用クレードル
３０    着脱式メモリ
３１    通信ケーブル
３２    二次加工用端末装置
３３    通信ケーブル
４０    ＲＯＭ
４１    ＣＰＵ
４２    通信Ｉ／Ｆ
４３    ＲＡＭ
４４    メモリＩ／Ｆ
４５    ネットワークＩ／Ｆ
５０    袋
５１    光学式タグ
５２    無線式タグ
５３    超音波シザース
５４    超音波プローブ
５５    超音波振動子
５６    光学式タグ
５７    読取シート
５８    無線式タグ
５９    光学式タグ
６１、６２、６３  データ
６４    時間に関する項目データ
６５    制御内容に関する項目データ
６６    機器名に関する項目データ
６７    製造年月日に関する項目データ
６８    シリアルナンバーに関する項目データ
６９    メーカーコードに関する項目データ
７０    再利用可否に関する項目データ
７１    読取機器に関する項目データ
７２    その他備考に関する項目データ
７３    列
７６、７７、７８  変換用テーブル
【図１】
2006053661.tif 000003
【図２】
2006053661.tif 000004
【図３】
2006053661.tif 000005
【図４】
2006053661.tif 000006
【図５】
2006053661.tif 000007
【図６】
2006053661.tif 000008
【図７】
2006053661.tif 000009
【図８】
2006053661.tif 000010
【図９】
2006053661.tif 000011
【図１０】
2006053661.tif 000012